(57)【要約】【課題】  健常者はもちろんのこと、高齢者、身障者、幼児でも容易に引き戸を開け閉めできる引き戸の引手を提供すること。【解決手段】引き戸Ｄの引手本体１０内に、下部側を支軸２０として外側に転倒可能な握り部２を取り付けてある。握り部２は、略直立姿勢にある引手本体１０内の収容状態と、略水平姿勢にある引手本体１０からの突出状態の範囲で、支軸を介して揺動する。引手本体１０から突出する握り部２の長さは、７０ｍｍ〜１００ｍｍとしてある。【選択図】  図１
2008101339.tif 000002
【特許請求の範囲】
【請求項１】
引き戸の引手本体内に、下部側を支軸として外側に転倒可能な握り部を取り付けてあることを特徴とする引き戸の引手。
【請求項２】
握り部は、略直立姿勢にある引手本体内収容状態と、略水平姿勢にある引手本体からの突出状態の範囲で、支軸を介して揺動するようにしてあることを特徴とする請求項１記載の引き戸の引手。
【請求項３】
引手本体から突出する握り部の長さは、７０ｍｍ〜１１０ｍｍとしてあることを特徴とする請求項２記載の引き戸の引手。
【発明の詳細な説明】
【技術分野】
【０００１】
この発明は、例えば襖、障子等の引き戸の引手に関するものである。
【背景技術】
【０００２】
従来の襖や障子等の引き戸の引手は、引き戸に設けた開口部に、表面側と裏面側から背中合わせ状に嵌合用凹み板を嵌め込むようにして構成されており、引き戸の開け閉めは前記嵌合用凹み板に複数本の手指を引っ掛ける態様で行なわれる。
【０００３】
しかしながら、上記引手の構造では、高齢者、身障者、幼児等（以下、高齢者等という）のような指力が弱いような人にとっては、引き戸の開け閉めが非常に負担になるような場合があった。
【０００４】
ところで、上記問題を解決するための引手としては、例えば特許文献１に開示されている。この引手は基本的には、表面側から裏面側まで貫通している部分を設け、前記貫通部により指がかかる長さを大きくしている。
【０００５】
しかしながら、このように改良された引手であっても、指力により引き戸を開け閉めすることには変わりないので、健常者はともかく高齢者や身障者にとっては負担になることには相違しないと考えられる。
【特許文献１】特開２００２―２６６５２７号公報（図１参照）
【発明の開示】
【発明が解決しようとする課題】
【０００６】
そこでこの発明は、健常者はもちろんのこと、高齢者、身障者、幼児でも容易に引き戸を開け閉めできる引き戸の引手を提供することを課題とする。
【課題を解決するための手段】
【０００７】
（請求項１記載の発明）
この発明の引き戸の引手は、引き戸の引手本体内に、下部側を支軸として外側に転倒可能な握り部を取り付けてあることを特徴とする引き戸の引手。
（請求項２記載の発明）
この発明の引き戸の引手は、上記請求項１記載の発明に関し、略直立姿勢にある引手本体内収容状態と、略水平姿勢にある引手本体からの突出状態の範囲で、支軸を介して揺動するようにしてある。
（請求項３記載の発明）
この発明の引き戸の引手は、上記請求項２記載の発明に関し、引手本体から突出する握り部の長さは、７０ｍｍ〜１１０ｍｍとしてある。
【発明の効果】
【０００８】
この発明は上述のような構成であり、次の効果を有する。
【０００９】
この発明の引き戸の引手は、健常者はもちろんのこと、高齢者、身障者、幼児でも容易に引き戸を開け閉めできる。
【発明を実施するための最良の形態】
【００１０】
以下、この発明の実施の形態を、図面を参照して説明する。
【実施例１】
【００１１】
図１はこの発明の実施例１の引き戸Ｄの引手１の外観斜視図、図２は前記引手１の断面図を示している。
【００１２】
（この引き戸Ｄの引手１の基本的構成について）
この引き戸Ｄは、図１に示すように、引手本体１内に、下部側を支軸２０として外側に転倒可能な握り部２を取り付けてあり、前記握り部２は略直立姿勢にある引手本体１０内での収容状態（図１、図２のニ点鎖線の状態）と、略水平姿勢にある引手本体１０からの突出状態（図１、図２の実線の状態）との間で、支軸２０を介して揺動できるようにしてある。ここで、前記引手１から突出する握り部２の長さは、握り部２が前記略水平姿勢にあるときにおいて、８５ｍｍ程度となるように設定してある。
【００１３】
（引き戸Ｄの構成について）
この引き戸Ｄは襖であり、図２に示すように、当該引き戸Ｄに設けた開口部ｄに、表面側と裏面側から背中合わせ状に嵌合用凹み板１１を嵌め込むようにして引手本体１０を構成してある。
【００１４】
ここで、上記引手本体１０は、横寸法５０ｍｍ×縦寸法１１０ｍｍ×深さ寸法１５ｍｍを有しており、その開放面側の回りには幅寸法１０ｍｍのフランジが形成されている。なお、上記引手本体１０を構成する板材は２ｍｍ程度の鋼板である。
【００１５】
（握り部２、支軸２０、これらに関連する構成について）
握り部２は、基本的には円柱状のものであり、引手本体１０の下部に設けられたブロック３０，３０相互間に架け渡されている支軸２０を介して揺動自在となっている。ここで、この実施例では、握り部２は通常、引手本体１０からある程度の力（高齢者等でも引き出せる力）で引き出せるようにしてあり、これにより水平状態になし得るようにしてある。また、前記握り部２が水平状態で止まるようにする手段としては、図１に示すように当該握り部２と引手本体１０との当たりを採用している。
【００１６】
また、上記握り部２、支軸２０及びブロック３０，３０は全て鋼材としてあるが、このうち手が触れる握り部２については発泡ウレタン、合成樹脂、又は革材等を巻き付けるようにしてある。これにより握り部２において温かみ等を感じると共に人体への外傷発生等を回避できることができる。
【００１７】
（この引き戸Ｄの引手１の優れた作用・効果について）
この引き戸Ｄは、以下の手順（１）（２）により開閉できる。
（１）握り部２を、指により引手本体１０から引き出し（この操作については大きな指力は必要としない）、図１や図２の二点鎖線で示す略直立姿勢にある引手本体１０内の収容状態から、同図の実線で示す略水平姿勢にある引手本体１０からの突出状態にする。
（２）上記状態において握り部２を手で握り、前記握り部２を介して引き戸Ｄを押し出す等（その他引き出す）すれば、健常者等でも容易に引き戸を開け閉めできる。要するにこの引き戸Ｄでは従来の如き指力をほとんど必要とせず、握り部２を手で握り、引き戸の移動方向に力又は体重をかければよいのである。
（３）なお、健常者の場合は、握り部２を使用しないで、通常に引手１に指を掛けて引き戸Ｄを開閉すればよい。
【００１８】
（類似する構成について）
図３に示したものは、上記実施例と基本的構造は同様であるが、一つのブロック３０の中央部分に上方に開放するＵ字状の凹み部３１を形成し、この凹み部３１の左右構成壁に支軸２０を掛け渡すようにしている。したがって、前記支軸２０に取り付けられている円柱状の握り部２は、略水平姿勢状態において空間を開けることなく綺麗に凹み部３１に納まることになる。また、図３に示したものでは、先端部を球状とし意匠的にするれたものとしてある。
【００１９】
図４及び図５に示したものは、長方形状の枠体を握り部２としたものであり、支軸２０を介して握り部２を略直立姿勢にある引手本体１０内での収容状態（図４、図５のニ点鎖線の状態）と、略水平姿勢にある引手本体１０からの突出状態（図４、図５の実線の状態）との間で、揺動できるようにしてある。したがって、この引手１では、枠体形状の握り部２を把手の如き握り込んで、引き戸Ｄを開閉操作すればよい。
【実施例２】
【００２０】
図６はこの発明の実施例２の引き戸Ｄの引手１の外観斜視図、図７は前記引手１の断面図を示している。
【００２１】
（この引き戸Ｄの引手Ｈの基本的構成について）
この引き戸Ｄは、基本的には実施例１と同様、図６や図７に示すように、引手本体１０内に、下部側を支軸２０として外側に転倒可能な握り部２を取り付けてあり、前記握り部２は略直立姿勢にある引手本体１０内での収容状態（図６の実線の状態）と、略水平姿勢にある引手本体１０からの突出状態（図７の実線の状態）との間で、支軸２０を介して揺動できるようにしてある。
【００２２】
ここで、この実施例２の引手１では、図６の実線に示すように、握り部２の下端近傍に軸方向に延びる長孔２１を形成すると共に引手本体１０の両側壁相互間に架設された支軸２０を前記長孔２１に挿入してあり、更に、引張りコイルバネ２２により握り部２を下方に付勢している。この引張りコイルバネ２２の付勢力による握り部２の降下時においては、図６の実線に示すように、長孔２１の最上部構成壁と支軸２０とが当接状態になると共に握り部２の下端部分が引手本体１０の下壁に設けた孔２３から貫通突出しており、握り部２は傾倒できないようになっている。なお、上記握り部２を図６の二点鎖線の位置まで引き上げた場合、握り部２の下端は孔２３から抜け出た状態になり、このとき初めて握り部２は揺動可能となる。
【００２３】
次に、この実施例２の引手１では、上記の如く握り部２を手で揺動させ図７の実線で示す如き略水平状態になったときに手を離すと、引手本体１０の奥壁下方に設けた孔２４に対して握り部２の下端部分は貫通突出し、再び握り部２は揺動不能となる。したがって、握り部２を手で持って引き戸Ｄを開閉する際において、安定した状態で開閉操作できることとなる。この引手１においても実施例１の（この引き戸Ｄの引手１の優れた作用・効果について）で述べた効果を奏することは勿論である。
【００２４】
（その他）
上記実施例１、２は、この発明を襖に採用したが、本願発明はこれに限定されるものではなく、引き戸であれば全て採用できる。
【００２５】
上記実施例１、２において、引手本体１０から突出する握り部２の長さは、７０ｍｍ〜１１０ｍｍとすることができる。
【図面の簡単な説明】
【００２６】
【図１】この発明の実施例１の引き戸の引手の外観斜視図。
【図２】前記引手１の断面図。
【図３】この発明の実施例１と類似する引き戸の引手の外観斜視図。
【図４】この発明の実施例１と類似する引き戸の引手の外観斜視図。
【図５】図４の引手１の断面図。
【図６】この発明の実施例２の引き戸の引手の外観斜視図。
【図７】図６の引手の断面図。
【符号の説明】
【００２７】
Ｄ    引き戸
ｄ    開口部
１    引手
１０  引手本体
１１  嵌合用凹み部
２    握り部
２０  支軸
３０  ブロック    
【図１】
2008101339.tif 000003
【図２】
2008101339.tif 000004
【図３】
2008101339.tif 000005
【図４】
2008101339.tif 000006
【図５】
2008101339.tif 000007
【図６】
2008101339.tif 000008
【図７】
2008101339.tif 000009